(57)【要約】識別子と携帯電子装置との間の関連付けが確立される。携帯電子装置に関連する識別子に対応する参加者フィールド値を有するイベントエントリを識別するために、イベントデータベース、例えば、デスクトップコンピュータまたはその他のコンピュータで維持されるイベントデータベースが、検索される。識別されたイベントエントリのデータが、電子的に携帯電子装置へ送信され、それによって、送信されたデータに応じてそのイベントデータベース内にイベントエントリが作成されてもよい。参加者フィールド値は、例えば、出席者フィールドおよび主催者フィールドまたはそのいずれかの値を含んでもよい。例えば、参加者フィールド値は、ＵＲＬであってもよい。
2009520261.tif 000002
【特許請求の範囲】
【請求項１】
携帯電子装置のためのイベント情報を同期させる、コンピュータに実装された方法であって、
識別子と前記携帯電子装置との間の関連付けを確立する工程と、
前記携帯電子装置に関連付けられた前記識別子に対応する参加者フィールド値を有するイベントエントリを識別するためにイベントデータベースを検索する工程と、
識別された前記イベントエントリのデータを前記携帯電子装置へ電子的に送信する工程と
を有することを特徴とする方法。
【請求項２】
前記参加者フィールド値が、出席者フィールドおよび主催者フィールドまたはそのいずれかの値を含むことを特徴とする請求項１に記載の方法。
【請求項３】
前記参加者フィールド値が、ＵＲＬを含むことを特徴とする請求項２に記載の方法。
【請求項４】
識別子と前記携帯電子装置との間の関連付けを確立する工程が、前記識別子を通信リンク上で前記携帯電子装置から受信する工程を有することを特徴とする請求項１に記載の方法。
【請求項５】
前記携帯電子装置に関連付けられた前記識別子が、前記携帯電子装置から受信した装置識別子およびイベントエントリ参加者識別子またはそのいずれかを有することを特徴とする請求項１に記載の方法。
【請求項６】
前記送信されたデータに応じて前記携帯電子装置のイベントデータベースの中にイベントエントリを作成する工程をさらに有することを特徴とする請求項１に記載の方法。
【請求項７】
前記携帯電子装置に関連付けられた前記識別子に対応する参加者フィールド値を有するイベントエントリを識別するためにイベントデータベースを検索する工程の前に、前記識別子と参加者フィールド値との間の対応を確立することを特徴とする請求項１に記載の方法。
【請求項８】
前記識別子と参加者フィールド値との間の対応を確立する工程は、前記携帯電子装置でのユーザ入力、および、前記第２のイベントデータベースへのアクセスを提供する第２の電子装置でのユーザ入力、またはそのいずれかに応じて、前記識別子と参加者フィールド値との間の対応を確立する工程を有することを特徴とする請求項７に記載の方法。
【請求項９】
前記識別子と参加者フィールド値との間の対応を確立する工程は、１つの識別子と複数の参加者フィールド値との間の対応を確立する工程を有することを特徴とする請求項７に記載の方法。
【請求項１０】
前記識別されたイベントエントリのデータを前記携帯電子装置へ電子的に送信する工程の前に、前記携帯電子装置と第２の電子装置との間に通信リンクを確立し、
前記識別されたイベントエントリのデータを前記携帯電子装置へ電子的に送信する工程は、前記識別されたイベントエントリのデータを前記第２の電子装置から前記通信リンク上で前記携帯電子装置へ電子的に送信する工程を有することを特徴とする請求項１に記載の方法。
【請求項１１】
前記携帯電子装置が、移動端末およびメディアプレーヤ、携帯情報端末のうちの少なくともいずれかを有することを特徴とする請求項１に記載の方法。
【請求項１２】
請求項１に記載の方法を実行するように構成されたコンピュータ。
【請求項１３】
携帯電子装置のためのイベント情報を同期させるためのコンピュータプログラム製品であって、前記コンピュータプログラム製品が、コンピュータ可読媒体の中に実施されたコンピュータプログラムコードを備え、前記コンピュータプログラムコードが、請求項１に記載の前記方法を実行するように構成されたプログラムコードを備えるようなコンピュータプログラム製品。
【請求項１４】
携帯電子装置を動作させる方法であって、
イベントエントリに関連付けられた識別子を、第１のイベントデータベースへのアクセスを提供する第２の電子装置へ送信する工程と、
送信された前記識別子に応じて前記第２の電子装置から送信されたイベントデータを受信する工程と、
受信された前記イベントデータに応じて、前記携帯電子装置で第２のイベントデータベースの中にイベントエントリを作成する工程と
を有する方法。
【請求項１５】
イベントエントリ参加者に関連付けられた識別子を送信する前に、前記携帯電子装置でのユーザ入力に応じて、前記識別子と前記イベントエントリ参加者との間の関連付けを確立することを特徴とする請求項１４に記載の方法。
【請求項１６】
前記識別子が、装置識別子および複数のイベントエントリ参加者のうちの各参加者についての各識別子またはそのいずれかを含むことを特徴とする請求項１４に記載の方法。
【請求項１７】
前記方法がさらに、前記受信したイベントデータを、前記携帯電子装置の外部の受信者へ送信する工程を有することを特徴とする請求項１４に記載の方法。
【請求項１８】
請求項１４に記載の方法を実行するように構成された携帯電子装置。
【請求項１９】
請求項１４に記載の方法を実行するように構成された移動端末。
【請求項２０】
携帯電子装置を動作させるためのコンピュータプログラム製品であって、前記コンピュータプログラム製品は、コンピュータ可読媒体の中に実施されたコンピュータプログラムコードを備え、前記コンピュータプログラムコードは、請求項１４に記載の方法を実行するように構成されたプログラムコードを備えることを特徴とする、コンピュータプログラム製品。
【発明の詳細な説明】
【技術分野】
【０００１】
本発明は、携帯電子装置に関し、詳細には、携帯電子装置のためのイベントデータを同期させることに関する。
【背景技術】
【０００２】
例えば、携帯情報端末（ＰＤＡ）、移動端末（例えば携帯電話）、メディアプレーヤ（例えばｉＰｏｄ（登録商標））、ノートパソコン、ラップトップコンピュータのような携帯電子装置は、一般に、例えば面会予約やタスクスケジューリングなどの目的に用いられるイベントデータベースを管理するパーソナルオーガナイザを有する。これらの装置は通常、他の装置と「同期する」ように設計されており、例えば、ある装置（例えばデスクトップパーソナルコンピュータ(ＰＣ)）によって維持されるイベントデータベースの中に記憶された例えば面会予約情報が、携帯装置の中のイベントデータベースの中に対応するエントリを作成するためにダウンロードされうるようになっている。
【発明の開示】
【発明が解決しようとする課題】
【０００３】
人々のグループは、共通のカレンダに従って動作することが多い。例えば、企業が、複数の従業員についてのエントリを有する共通の電子カレンダを維持してもよい。従業員が、自分の携帯電子装置のカレンダを、そのような共通カレンダに同期させることができてもよい。しかし、同期させる結果として、その従業員のカレンダが、その従業員の関心事ではないエントリで占有されることになるかもしれない。作業部会または小集団のために別の共通カレンダを作成することによってこの問題への取り組みが行われてもよいが、そのような別個のカレンダを作成・維持することは、さらなる労力を必要としたり、エラーの原因ともなりうる。
【課題を解決するための手段】
【０００４】
本発明の一部の実施形態は、携帯電子装置、例えば移動端末、メディアプレーヤ、あるいは携帯情報端末のためのイベント情報を同期させるための方法と、コンピュータ装置と、コンピュータプログラム製品とを提供する。識別子と携帯電子装置との間の関連付けが確立される。携帯電子装置に関連する識別子に対応する参加者フィールド値を有するイベントエントリを識別するために、イベントデータベース、例えば、デスクトップコンピュータまたはその他のコンピュータで維持されるイベントデータベースが検索される。識別されたイベントエントリのデータが、電子的に携帯電子装置へ送信され、それによって、送信されたデータに応じてそのイベントデータベース内にイベントエントリが作成されてもよい。参加者フィールド値は、例えば、出席者フィールドおよび主催者フィールドまたはそのいずれかの値を含んでもよい。例えば、参加者フィールド値は、ＵＲＬであってもよい。
【０００５】
識別子と携帯電子装置との間の関連付けの確立は、携帯電子装置から識別子を通信リンク上で受信することを含んでもよい。携帯電子装置に関連する識別子は、携帯電子装置から受信した装置識別子およびイベントエントリ参加者識別子またはそのいずれかを含んでもよい。イベントデータベースを検索する前に、識別子と参加者フィールド値との間の対応が、例えば、ルックアップテーブルまたはその他の相互参照を用いて、確立されてもよい。識別子と参加者フィールド値との間の対応は、携帯電子装置でのユーザ入力、および、第２のイベントデータベースへのアクセスを提供する第２の電子装置でのユーザ入力、またはそのいずれかに応じて、確立されてもよい。１つの識別子が、複数の参加者フィールド値に対応してもよい。
【０００６】
さらなる実施形態が、携帯電子装置を動作させるための方法およびコンピュータプログラム製品と共に、携帯電子装置を提供する。イベントエントリ参加者に関連する識別子が、第１のイベントデータベースへのアクセスを提供する第２の電子装置へ送信される。送信された識別子に応じて第２の電子装置から送信されるイベントデータが、携帯電子装置で受信され、それに応じて、イベントエントリが、携帯電子装置で第２のイベントデータベースの中に作成される。イベントエントリ参加者に関連付けられた識別子を送信する前に、携帯電子装置でのユーザ入力に応じて、識別子とイベントエントリ参加者との間の関連付けが確立されてもよい。識別子は、装置識別子および複数のイベントエントリ参加者のうちの各参加者についての各識別子またはそのいずれかを含んでもよい。
【発明を実施するための最良の形態】
【０００７】
ここで、本発明の具体的で例示的な実施形態について、添付の図面を参照しながら記述しよう。しかし、本発明は、多くの異なる形態で実施されうるため、本書に述べた実施形態に限定されると解釈されるべきではなく、むしろ、これらの実施形態は、この開示が完璧かつ完全であり、本発明の範囲を当業者に十分に伝達できることを目的として提供される。添付図面の中で図解する特定の例示的な実施形態の詳細記述の中で用いられる用語は、本発明を限定することを意図していない。図面中、類似の番号は類似の要素を指す。
【０００８】
本書では、単数形「ａ」「ａｎ」「ｔｈｅ」は、別に明示しない限り、複数形も同様に含むことを意図する。さらに理解されるであろうが、「有する」「備える」「含めて」「備えた」という用語は、本明細書で用いられる場合、述べられた特徴、整数またはステップ、動作、要素構成要素の少なくともいずれかの存在を明記するが、１つ以上の他の特徴や整数、ステップ、動作、要素、構成要素、およびそれらのグループの存在もしくは追加を排除しない。理解されるであろうが、ある要素が他の要素に「接続する」または「結合する」と言及される場合、それが直接他の要素に接続もしくは結合してもよいし、介在要素が存在してもよい。さらに、本書では「接続する」または「結合する」とは、ワイヤレスで接続もしくは結合してもよい。本書では、「および／または」という用語は、関連付けられてリストされた項目の１つ以上のいずれかの組み合わせとすべての組み合わせとを含む。
【０００９】
別に定めない限り、（技術用語および科学用語を含めて）本書で用いるすべての用語は、本発明が属する分野の普通の技術者によって一般に理解されるのと同じ意味を持つ。さらに理解されるであろうが、一般に用いられる辞書類の中で定義されるような用語は、関連技術の文脈におけるそれらの意味と一致する意味を持つと解釈されるべきであって、本書の中で明白にそのように定義されない限り、理想化された意味や過度に形式的な意味で解釈されることはない。
【００１０】
本発明は、方法として、装置として、およびコンピュータプログラム製品として実施されてもよい。従って本発明は、ハードウェアとして、ソフトウェアとして、またはそれらの組み合わせとして実施されてもよい。例えば、本発明は、コンピュータで利用可能なプログラムコードが媒体の中に実施されているコンピュータで利用可能な記憶媒体上のコンピュータプログラム製品という形をとってもよい。適用可能な記憶媒体には、ハードディスク、ＣＤ−ＲＯＭ、光学的記憶装置、および磁気記憶装置が含まれてもよいが、それらに限定されない。
【００１１】
本発明の動作を実行するためのコンピュータのプログラムコードは、Ｊａｖａ（登録商標）、スモールトーク、またはＣ＋＋のようなオブジェクト指向プログラミング言語で書かれてもよい。しかし、また、本発明の動作を実行するためのコンピュータのプログラムコードは、例えば「Ｃ」プログラミング言語またはより低級のアセンブリ言語またはそれらの組み合わせのような、従来型の手続きプログラミング言語で書かれてもよい。プログラムコードは、完全に１つの装置上で実行されてもよいし、複数の装置上で実行されてもよい。
【００１２】
本明細書では、本発明の例示的な実施形態について、本発明の実施形態による方法と装置（システム）とコンピュータプログラム製品との、フローチャートの図解およびブロック図またはそのいずれかを参照しながら記述する。理解されるであろうが、フローチャートの図解およびブロック図またはそのいずれかの各ブロックは、そしてフローチャートの図解およびブロック図またはそのいずれかにおけるブロックの組み合わせは、コンピュータプログラム命令によって実施することが可能である。これらのコンピュータプログラム命令は、コンピュータまたは他のプログラム可能データ処理装置のプロセッサを介して実行される命令が、フローチャートおよびブロック図またはそのいずれかのブロックまたは複数ブロックの中に明記された機能や動作を実施する手段を作成するように、マシンを作り出すため、汎用コンピュータ、専用コンピュータ、または他のプログラム可能データ処理装置のプロセッサに提供されてもよい。
【００１３】
また、これらのコンピュータプログラム命令は、コンピュータ可読メモリの中に記憶される命令が、フローチャートおよびブロック図またはそのいずれかのブロックまたは複数のブロックに明記された機能や動作を実施する命令手段を含めて、製品を作り出すように、コンピュータまたは他のプログラム可能データ処理装置に命令して特定のやり方で機能させることができるコンピュータ可読メモリの中に記憶されてもよい。また、コンピュータで実行するプロセスを生じさせるために一連の動作ステップがコンピュータまたは他のプログラム可能装置上で行われるようにする目的で、コンピュータプログラム命令がコンピュータまたは他のプログラム可能データ処理装置にロードされてもよく、それによってコンピュータまたは他のプログラム可能装置上で実行される命令が、フローチャートおよびブロック図またはそのいずれかのブロックまたは複数のブロックの中で指定された機能／動作を実施するステップを提供することになる。
【００１４】
本書のフローチャートおよび概略図は、本発明の一部の実施形態のアーキテクチャと機能性と動作とを図解する。この点で、各ブロックは、指定された論理機能を実施するための１つ以上の実行可能な命令を含むモジュール、セグメントもしくはコードの部分を表してもよい。また留意すべきだが、他の実装において、ブロック内に記載された機能は、図中に記載された順序以外の順序で発生してもよい。例えば、連続して示す２つのブロックが、実際には、実質的に同時に実行されてもよいし、ブロックは時には、関連する機能性に応じて逆の順序で実行されてもよい。
【００１５】
本発明の一部の実施形態は、例えば移動端末またはＰＤＡのような携帯電子装置のイベントデータベースの選択的同期が、例えば携帯装置がそれと同期されてもよいデスクトップコンピュータまたは他の装置の中に記憶されているデータベースのような、別のイベントデータベースに記憶されたイベントエントリの参加者識別子フィールドの１つ以上の値に携帯電子装置を関連付けることによって達成され得ることの実現に由来する。例えば、一部の実施形態において、携帯装置の装置識別子は、例えばデスクトップＰＣのようなコンピュータによって維持されるイベントデータベース内に記憶されたイベントエントリの中の１つ以上の「出席者」フィールドおよび「主催者」フィールドまたはそのいずれかに関連付けられてもよい。そのような関連付けは、例えば、デスクトップＰＣでのユーザエントリに応じて、および携帯電子装置でのユーザ入力に応じて、またはそのいずれかに応じて確立されてもよい。他の実施形態において、所望の関連付けを作成するため、参加者識別子、例えば「ｍａｉｌｔｏ」ＵＲＬが、携帯装置から送信されてもよい。
【００１６】
本書では、「イベントデータベース」は、例えば面会予約、タスク、ノート等のようなイベントについての情報を記憶するための複数の各種のデータベースのうちのいずれかを指す。例を挙げると、個人情報マネージャ（ＰＩＭ）、例えばＯｕｔｌｏｏｋ（登録商標）の中の面会予約およびタスクを記憶するためのデータベースがそうである。「参加者識別子」には、例えば実在の人物、「バーチャル人物」（例えば「ユーザ」）またはリソースのような、そのようなデータベースのエントリの中で参加者を識別するのに用いられる、例えば「主催者」、「出席者」、または「リソース」のような、いずれかの識別子が含まれる。参加者識別子は、例えば、ユーザ名／パスワード、ＵＲＬ等を有していてもよい。
【００１７】
図１に図解する本発明の一部の実施形態において、コンピュータ１２０（例えばデスクトップＰＣ、ラップトップＰＣ、またはノートＰＣ）が、携帯電子装置１１０（たとえば移動端末またはＰＤＡ）のためのイベント情報の参加者選択式の同期をサポートするように構成される。図示するように、携帯電子装置１１０は、通信インタフェース回路１１４、メモリ１１６、およびユーザインタフェース回路機構１１８に動作可能なように連結されたプロセッサ１１２を有する。理解されるはずだが、通信インタフェース回路１１２は、有線通信、無線通信、および光通信を含めて、各種の通信タイプのうちでいずれをサポートするように構成されてもよい。例えば、通信インタフェース回路１１２は、一般に使用される通信標準、例えばユニバーサル・シリアル・バス（ＵＳＢ）、ファイヤーワイヤー（ＩＥＥＥ１３９４）、ＷｉＦｉ（ＩＥＥＥ８０２．１１）あるいはブルートゥースをサポートしてもよい。ユーザインタフェース回路機構１１８は、ディスプレイ、スピーカ、キーパッド、マウス、タッチパッド、クリックハンドル等を含むがそれらに限定されない、複数の異なるタイプの回路機構のうちいずれを含んでもよい。メモリ１１６は、半導体メモリ（例えばＲＡＭもしくはＲＯＭ）および磁気メモリ（例えばハードディスク）を含むがそれらに限定されない、複数の異なる記憶メディアのうちいずれを有してもよい。図解された実施形態において、メモリ１１６はイベントデータベース１１７を記憶し、それに、プロセッサ１１２上で実行されるイベント同期アプリケーション１１１がアクセスする。
【００１８】
コンピュータ１２０は、プロセッサ１２４を含み、それは、通信インタフェース回路１２２およびメモリ１２６に、動作可能なように結合される。通信インタフェース回路１２２は、例えば有線通信リンクまたはワイヤレス通信リンクのような通信リンク１３０を、携帯電子装置１１０の通信インタフェース回路１１４と確立することをサポートする。図示するように、メモリ１２６は、イベントデータベース１２７、例えばＯｕｔｌｏｏｋ(登録商標）またはイベントデータを有する他のオーガナイザデータベースを記憶する。プロセッサ１２４上で実行される参加者選択式同期アプリケーション１２５が、イベントデータベース１２７にアクセスする。理解されるはずだが、イベントデータベース１２７は、コンピュータ１２０に常駐するように示されているけれども、本発明の他の実施形態において、同期されるイベントデータベースは、複数の異なる位置のうちいずれに記憶されていてもよく、例えば、ネットワークを介して同期するコンピュータ１２０に結合してもよい位置に記憶されてもよい。例えば、コンピュータ１２０上のイベントデータベースは、例えば、オンラインバーチャルカレンダに同期する場合のように、他のリモートの位置にあるデータベースへのリンクを有してもよい。
【００１９】
参加者選択式同期アプリケーション１２５は、イベントデータベース１２７の中に記憶されたイベントエントリの中のデータを参加者に基づいて選択的に抽出することと、抽出されたそのイベントデータを携帯電子装置１１０に送信することとをサポートするように構成され、携帯電子装置１１０では、そのデータは、イベント同期アプリケーション１１３の制御の下でイベントデータベース１１７の中に記憶されてもよい。例えば、ここで次に図２のフローチャートを参照すると、一部の実施形態において、関連付けが、識別子と携帯電子装置、例えば図１（ブロック２１０）の装置１１０との間で確立されてもよい。識別子に対応する参加者フィールド値を有する１つ以上のイベントエントリを識別するために、イベントデータベース、例えば、図１のコンピュータ１２０で維持されるイベントデータベース１２７が、検索される（ブロック２２０）。検索に応じて、識別されたイベントエントリからのデータが、携帯電子装置へ送信されてもよい（ブロック２３０）。送信されたデータに応じて、携帯装置のイベントデータベース内にイベントエントリが作成されてもよい（ブロック２４０）。理解されるであろうが、イベントエントリの作成には、完全に新規のエントリ作成が含まれてもよいし、既存のエントリの修正が含まれてもよい。
【００２０】
理解されるであろうが、上記に沿った携帯電子装置内での参加者選択式のイベントデータ同期は、本発明の範囲内で多くの多様な方法で実現されうる。参加者選択式のイベント同期の一部の例について、図３乃至５のフローチャートを参照しながら以下で論じる。
【００２１】
本発明の一部の実施形態によって、携帯電子装置と１人以上のイベントエントリ参加者との間の関連付けが、携帯電子装置から、携帯装置が同期されることになるイベントデータベースへのアクセスを提供するデスクトップＰＣのような装置へ識別子を送信することによって、確立されてもよい。例えば、図３に示すように、装置識別子が、携帯電子装置からＰＣへ送信されてもよい（ブロック３１０）。装置識別子は、例えばシリアル番号、ユーザ名、パスワード、またはそれらの組み合わせのような、複数の多様な識別子のうちのいずれを有してもよい。送信に応じて、ＰＣは、装置識別子に対応する参加者フィールド値を有するイベントエントリを識別するために、そのイベントデータベースを検索してもよい（ブロック３２０）。対応は、複数の多様な方法で確立されてもよく、例えば、装置識別子を１つ以上の参加者フィールド値に相互参照するルックアップテーブルを利用してもよい。検索に応じて、ＰＣは、イベントデータを識別されたイベントエントリから携帯電子装置へ送信してもよく（ブロック３３０）、携帯電子装置は、次には、送信されたデータを用いて自分自身のイベントデータベースの中にイベントエントリを作成してもよい（ブロック３４０）。
【００２２】
本発明のさらなる実施形態において、イベントデータベースのイベントエントリの中の参加者フィールドは、インターネットカレンダリングおよびスケジューリングコアオブジェクト仕様（以下「ｉＣａｌｅｎｄａｒ」と呼ぶ）の下でサポートされ、例えばＳｙｎｃＭＬのような同期プロトコルの下で使用される、標準的な「出席者」フィールドおよび／または「主催者」フィールドに対応してもよい。そのような参加者選択式のイベントデータ同期は、適切な「出席者」および「主催者」またはそのいずれかを有するイベントエントリを検索することによって実現されてもよく、それは、ＳｙｎｃＭＬ１．０．１の場合、「ｍａｉｌｔｏ」のＵＲＬである。
【００２３】
図４を参照すると、携帯電子装置のための装置識別子と、１つ以上の「出席者」および「主催者」またはそのいずれかのフィールド値、すなわちＵＲＬとの間に、対応が確立されてもよい(ブロック４１０）。対応は、複数の多様な方法で、例えば、ルックアップテーブルにおける相互参照によって、確立されてもよい。装置識別子は、携帯電子装置から、イベントデータベースをサポートする装置、例えばＰＣへ、送信されてもよい(ブロック４２０）。それに応じて、送信された装置識別子に対応する「出席者」の値および「主催者」の値またはそのいずれかを有するエントリを求めて、イベントデータベースが検索される（ブロック４３０）。識別されたエントリからのイベントデータは、携帯電子装置へ返信されてもよく（ブロック４４０）、次に携帯電子装置が、送信されたイベントデータに応じてイベントエントリを作成してもよい（ブロック４５０）。
【００２４】
携帯電子装置は、送信されたイベントデータを使って他の動作を実行してもよい。例えば、送信されたイベントデータの中に「出席者」情報および「主催者」情報またはそのいずれかが含まれる場合、携帯電子装置は、アドレス帳／連絡先エントリを生成してもよいだろうし、送信された情報を用いて電子メッセージ（例えば電子メール、テキストメッセージまたはＭＭＳメッセージ）を送信してもよいだろうし、その組み合わせでもよいだろう。
【００２５】
本発明のさらなる実施形態において、携帯電子装置と参加者識別子との間の通信が、携帯電子装置から参加者識別子を送信することによって作成されてもよい。例えば、図５に示すように、携帯電子装置が、１つ以上の参加者識別子、例えばユーザ名またはＵＲＬを、イベントデータベースにアクセスするＰＣまたは他の装置へ送信してもよいだろう（ブロック５１０）。それに応じて、対応する値を有する「出席者」フィールドおよび「主催者」フィールドまたはそのいずれかを有するエントリを識別するため、イベントデータベースが検索される（ブロック５２０）。識別されたエントリからのイベントデータが、携帯電子装置へ送信されてもよく（ブロック５３０）、携帯電子装置は、次には、送信されたイベントデータを用いて自分自身のイベントデータベースの中にエントリを作成してもよい（ブロック５４０）。
【００２６】
図面および明細書において、本発明の例示的な実施形態を開示してきた。特定の用語が採用されてはいるが、それらは、一般的な説明の意味だけであり、限定を目的としているのではなく、本発明の範囲は、請求項によって定義される。
【図面の簡単な説明】
【００２７】
【図１】本発明の一部の実施形態による、携帯電子装置のための、参加者選択式のイベント情報の同期のための装置と動作とを図解する概略ブロック図である。
【図２】本発明の各種の実施形態による、携帯電子装置のためのイベント情報を同期させるための動作を図解するフローチャートである。
【図３】本発明の各種の実施形態による、携帯電子装置のためのイベント情報を同期させるための動作を図解するフローチャートである。
【図４】本発明の各種の実施形態による、携帯電子装置のためのイベント情報を同期させるための動作を図解するフローチャートである。
【図５】本発明の各種の実施形態による、携帯電子装置のためのイベント情報を同期させるための動作を図解するフローチャートである。
【図１】
2009520261.tif 000003
【図２】
2009520261.tif 000004
【図３】
2009520261.tif 000005
【図４】
2009520261.tif 000006
【図５】
2009520261.tif 000007
【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
携帯電子装置のためのイベント情報を同期させる、コンピュータに実装された方法であって、
識別子と前記携帯電子装置との間の関連付けを確立する工程と、
前記携帯電子装置に関連付けられた前記識別子に対応する参加者フィールド値を有するイベントエントリを識別するために、それぞれのイベントのためのそれぞれのイベントエントリを含むイベントデータベース中のイベントエントリの参加者フィールドを検索する工程と、
識別された前記イベントエントリのデータを前記携帯電子装置へ電子的に送信する工程と
を有することを特徴とする方法。
【請求項２】
前記参加者フィールド値が、出席者フィールドおよび主催者フィールドまたはそのいずれかの値を含むことを特徴とする請求項１に記載の方法。
【請求項３】
前記参加者フィールド値が、ＵＲＬを含むことを特徴とする請求項２に記載の方法。
【請求項４】
識別子と前記携帯電子装置との間の関連付けを確立する工程が、前記識別子を通信リンク上で前記携帯電子装置から受信する工程を有することを特徴とする請求項１に記載の方法。
【請求項５】
前記携帯電子装置に関連付けられた前記識別子が、前記携帯電子装置から受信した装置識別子およびイベントエントリ参加者識別子またはそのいずれかを有することを特徴とする請求項１に記載の方法。
【請求項６】
前記送信されたデータに応じて前記携帯電子装置のイベントデータベースの中にイベントエントリを作成する工程をさらに有することを特徴とする請求項１に記載の方法。
【請求項７】
前記携帯電子装置に関連付けられた前記識別子に対応する参加者フィールド値を有するイベントエントリを識別するために、それぞれのイベントのためのそれぞれのイベントエントリを含むイベントデータベースを検索する工程の前に、前記識別子と参加者フィールド値との間の対応を確立することを特徴とする請求項１に記載の方法。
【請求項８】
前記識別子と参加者フィールド値との間の対応を確立する工程は、前記携帯電子装置でのユーザ入力、および、前記第２のイベントデータベースへのアクセスを提供する第２の電子装置でのユーザ入力、またはそのいずれかに応じて、前記識別子と参加者フィールド値との間の対応を確立する工程を有することを特徴とする請求項７に記載の方法。
【請求項９】
前記識別子と参加者フィールド値との間の対応を確立する工程は、１つの識別子と複数の参加者フィールド値との間の対応を確立する工程を有することを特徴とする請求項７に記載の方法。
【請求項１０】
前記識別されたイベントエントリのデータを前記携帯電子装置へ電子的に送信する工程の前に、前記携帯電子装置と第２の電子装置との間に通信リンクを確立し、
前記識別されたイベントエントリのデータを前記携帯電子装置へ電子的に送信する工程は、前記識別されたイベントエントリのデータを前記第２の電子装置から前記通信リンク上で前記携帯電子装置へ電子的に送信する工程を有することを特徴とする請求項１に記載の方法。
【請求項１１】
前記携帯電子装置が、移動端末およびメディアプレーヤ、携帯情報端末のうちの少なくともいずれかを有することを特徴とする請求項１に記載の方法。
【請求項１２】
請求項１に記載の方法を実行するように構成されたコンピュータ。
【請求項１３】
携帯電子装置のためのイベント情報を同期させるためのコンピュータプログラム製品であって、前記コンピュータプログラム製品が、コンピュータ可読媒体の中に実施されたコンピュータプログラムコードを備え、前記コンピュータプログラムコードが、請求項１に記載の前記方法を実行するように構成されたプログラムコードを備えるようなコンピュータプログラム製品。
【請求項１４】
携帯電子装置を動作させる方法であって、
イベントエントリに関連付けられた識別子を、それぞれのイベントのためのそれぞれのイベントエントリを含む第１のイベントデータベースへのアクセスを提供する第２の電子装置へ送信する工程であって、前記識別子は前記第１のイベントデータベース中のイベントエントリに含まれる参加者フィールド値との比較のために構成されたところの工程と、
送信された前記識別子に応じて前記第２の電子装置から送信されたイベントデータを受信する工程と、
受信された前記イベントデータに応じて、前記携帯電子装置で第２のイベントデータベースの中にイベントエントリを作成する工程と
を有する方法。
【請求項１５】
イベントエントリ参加者に関連付けられた識別子を送信する前に、前記携帯電子装置でのユーザ入力に応じて、前記識別子と前記イベントエントリ参加者との間の関連付けを確立することを特徴とする請求項１４に記載の方法。
【請求項１６】
前記識別子が、装置識別子および複数のイベントエントリ参加者のうちの各参加者についての各識別子またはそのいずれかを含むことを特徴とする請求項１４に記載の方法。
【請求項１７】
前記方法がさらに、前記受信したイベントデータを、前記携帯電子装置の外部の受信者へ送信する工程を有することを特徴とする請求項１４に記載の方法。
【請求項１８】
請求項１４に記載の方法を実行するように構成された携帯電子装置。
【請求項１９】
請求項１４に記載の方法を実行するように構成された移動端末。
【請求項２０】
携帯電子装置を動作させるためのコンピュータプログラム製品であって、前記コンピュータプログラム製品は、コンピュータ可読媒体の中に実施されたコンピュータプログラムコードを備え、前記コンピュータプログラムコードは、請求項１４に記載の方法を実行するように構成されたプログラムコードを備えることを特徴とする、コンピュータプログラム製品。
【手続補正書】
【提出日】平成20年8月18日(2008.8.18)
【手続補正１】
【補正対象書類名】特許請求の範囲
【補正対象項目名】全文
【補正方法】変更
【補正の内容】
【特許請求の範囲】
【請求項１】
携帯電子装置のためのイベント情報を同期させる、コンピュータに実装された方法であって、
前記コンピュータの確立手段が、識別子と前記携帯電子装置との間の関連付けを確立する工程と、
前記コンピュータの検索手段が、前記携帯電子装置に関連付けられた前記識別子に対応する参加者フィールド値を有するイベントエントリを識別するために、それぞれのイベントのためのそれぞれのイベントエントリを含むイベントデータベース中のイベントエントリの参加者フィールドを検索する工程と、
前記コンピュータの送信手段が、識別された前記イベントエントリのイベントデータを前記携帯電子装置へ電子的に送信する工程と
を有することを特徴とする方法。
【請求項２】
前記参加者フィールド値が、出席者フィールドおよび主催者フィールドまたはそのいずれかの値を含むことを特徴とする請求項１に記載の方法。
【請求項３】
前記参加者フィールド値が、ＵＲＬを含むことを特徴とする請求項２に記載の方法。
【請求項４】
前記コンピュータの作成手段が、前記送信されたデータに応じて前記携帯電子装置のイベントデータベースの中にイベントエントリを作成する工程をさらに有することを特徴とする請求項１に記載の方法。
【請求項５】
請求項１に記載の方法を実行するように構成されたコンピュータ。
【請求項６】
携帯電子装置のためのイベント情報を同期させるための、コンピュータ可読媒体に記憶されたコンピュータプログラムであって、前記コンピュータプログラムが、請求項１に記載の前記方法を実行するように構成されたコンピュータプログラム。
【請求項７】
送信手段と、受信手段と、作成手段とを有する携帯電子装置を動作させる方法であって、
前記送信手段が、イベントエントリに関連付けられた識別子を、それぞれのイベントのためのそれぞれのイベントエントリを含む第１のイベントデータベースへのアクセスを提供する第２の電子装置へ送信する工程であって、前記識別子は前記第１のイベントデータベース中のイベントエントリに含まれる参加者フィールド値との比較のために構成されたところの工程と、
前記受信手段が、送信された前記識別子に応じて前記第２の電子装置から送信されたイベントデータを受信する工程と、
前記作成手段が、受信された前記イベントデータに応じて、前記携帯電子装置で第２のイベントデータベースの中にイベントエントリを作成する工程と
を有する方法。
【請求項８】
請求項７に記載の方法を実行するように構成された携帯電子装置。
【請求項９】
請求項７に記載の方法を実行するように構成された移動端末。
【請求項１０】
携帯電子装置を動作させるための、コンピュータ可読媒体に記憶されたコンピュータプログラムであって、前記コンピュータプログラムは、請求項７に記載の方法を実行するように構成されたことを特徴とするコンピュータプログラム。
【国際調査報告】
2009520261.tif 000008
2009520261.tif 000009